(57)【要約】【課題】周辺に装飾品等を取り付ける場合と、そうでない場合のいずれでも好適に使用可能な遊技情報表示装置を提供する。【解決手段】  遊技情報を表示する表示部４０の表示面で、第１表示領域６２と、第１表示領域６２よりも範囲の広い第２表示領域６３を切替え可能とする。さらに、周縁部分の近傍に装飾部２３を取付けると共に、この装飾部２３が外側に向かって移動可能な状態とする。そして、装飾部２３の外側への移動に応じて表示領域を切り替え、切り替え後の表示領域に合わせたレイアウトで各種情報を表示する。【選択図】図７
2016077779.tif 000002
【特許請求の範囲】
【請求項１】
遊技機が設置された遊技場に設けられ、前記遊技機に関する遊技情報を遊技者に対して表示可能な遊技情報表示装置であって、
前記遊技情報を表示可能な表示部と、少なくとも一部が周縁部分に位置する装飾用の装飾部を備え、
前記表示部は、各種情報を表示するための表示面を有し、
前記表示面は、少なくとも第１表示領域と、当該第１表示領域よりも範囲の広い第２表示領域を含む複数の表示領域を有し、それぞれの表示領域に合わせて各種情報を表示可能なものであり、
前記装飾部は、外側に向かって移動可能な状態に取り付けられており、
前記装飾部の移動に応じて表示領域が切り替えられ、切り替え後の表示領域に合わせて各種情報が表示されることを特徴とする遊技情報表示装置。
【請求項２】
前記装飾部は、遊技情報表示装置全体又は前記表示面を基準とした幅方向及び／又は高さ方向における外側へと移動するものであり、
前記装飾部の外側への移動によって、正面視した際の周縁長さが長くなると共に前記表示面の外部に露出する部分の面積が増加することを特徴とする請求項１に記載の遊技情報表示装置。
【請求項３】
前記第２表示領域の一部と、前記第１表示領域が重複する位置にあることを特徴とする請求項１又は２に記載の遊技情報表示装置。
【請求項４】
前記装飾部は、複数の装飾部形成部材によって形成されるものであり、前記装飾部形成部材のそれぞれが異なる方向へ移動することによって表示領域が切り替えられることを特徴とする請求項１乃至３のいずれかに記載の遊技情報表示装置。
【請求項５】
遊技機が設置された遊技場に設けられ、前記遊技機に関する遊技情報を遊技者に対して表示可能な遊技情報表示装置であって、
前記遊技情報を表示可能な表示部と、少なくとも一部が周縁部分に位置する装飾用の装飾部を備え、
前記表示部は、各種情報を表示するための表示面を有し、
前記表示面は、少なくとも第１表示領域と、当該第１表示領域よりも範囲の広い第２表示領域を含む複数の表示領域を有し、それぞれの表示領域に合わせて各種情報を表示可能なものであり、
前記装飾部は、着脱交換可能な状態に取り付けられており、前記装飾部の交換によって周縁部分の位置が可変するものであり、
前記装飾部の交換に応じて表示領域が切り替えられ、切り替え後の表示領域に合わせて各種情報が表示されることを特徴とする遊技情報表示装置。
【請求項６】
前記装飾部を交換することにより、正面視した際の周縁長さ及び前記表示面の外部に露出する部分の面積が変化することを特徴とする請求項５に記載の遊技情報表示装置。
【発明の詳細な説明】
【技術分野】
【０００１】
本発明は、遊技機に関する遊技情報を遊技者に提供するための遊技情報表示装置に関する。
【背景技術】
【０００２】
ぱちんこ機やスロット機等の遊技機が設置されている遊技場では、一般的に、所謂データランプ、コールランプ、呼出ランプ等と称される遊技情報表示装置が設けられている。このような遊技情報表示装置は、対応する遊技機の遊技情報を集計し、遊技者に対して表示することが可能となっている。
このような遊技情報表示装置として、例えば、特許文献１に開示されたものがある。
【先行技術文献】
【特許文献】
【０００３】
【特許文献１】特開２０１１−２３９８１８号公報
【発明の概要】
【発明が解決しようとする課題】
【０００４】
ところで、一般的な遊技場では、複数の遊技機を並列して取り付けるための遊技機島が形成されており、遊技情報表示装置もまた、この遊技機島に固定されている。より詳細には、並列配置された遊技機それぞれの上方に、各遊技機に対応する遊技情報表示装置が配置されている。すなわち、遊技機島の上側では、複数の遊技情報表示装置が所定の間隔を空けて並列に配置された状態となっている。
【０００５】
ここで、遊技場によっては、遊技情報表示装置の周辺に位置する部分に、旗等の装飾品や、広告、遊技機の大当たり率、遊技機の機種名等を記載したプレートを配置する場合がある。つまり、遊技場毎に、遊技情報表示装置の周辺に装飾品やプレート等を取り付ける場合と、そうでない場合がある。
【０００６】
そして、遊技情報表示装置を大きくした場合、周辺に広い領域が確保できず、装飾品やプレート等を取り付ける場合にレイアウトが制限されるおそれがある。
【０００７】
これに対して、遊技情報表示装置を小さくした場合、周辺に広い領域を確保できるので、装飾品やプレート等を取り付け易くなるという利点がある。その反面、装飾品やプレート等を取り付けない場合には、遊技情報表示装置が必要以上に小さくなってしまう。
ここで、遊技情報表示装置を必要以上に小型化すると、並列配置される遊技情報表示装置の間に必要以上に広い空間が形成され、遊技機島の見栄えが悪くなってしまうことが考えられる。また、遊技情報表示装置を必要以上に小型化すると、遊技者が表示画面を見難くなってしまうことが考えられる。つまり、周辺に装飾品やプレート等を取り付けない場合には、その分だけ表示画面を大きくすることが好ましいが、遊技情報表示装置を小型化してしまうと、表示画面が比較的小さくなってしまう。
【０００８】
そこで本発明は、上記した従来技術の問題に鑑み、周辺に装飾品等を取り付ける場合と、そうでない場合の双方で好適に使用可能な遊技情報表示装置を提供することを課題とする。
【課題を解決するための手段】
【０００９】
上記課題を解決するための請求項１に記載の発明は、遊技機が設置された遊技場に設けられ、前記遊技機に関する遊技情報を遊技者に対して表示可能な遊技情報表示装置であって、前記遊技情報を表示可能な表示部と、少なくとも一部が周縁部分に位置する装飾用の装飾部を備え、前記表示部は、各種情報を表示するための表示面を有し、前記表示面は、少なくとも第１表示領域と、当該第１表示領域よりも範囲の広い第２表示領域を含む複数の表示領域を有し、それぞれの表示領域に合わせて各種情報を表示可能なものであり、前記装飾部は、外側に向かって移動可能な状態に取り付けられており、前記装飾部の移動に応じて表示領域が切り替えられ、切り替え後の表示領域に合わせて各種情報が表示されることを特徴とする遊技情報表示装置である。
【００１０】
本発明の遊技情報表示装置では、周縁部分に位置する装飾用の装飾部が外側に向かって移動可能な状態に取り付けられている。したがって、装飾部を外側へ移動させることにより、遊技情報表示装置を小さくまとまった状態から、外側に大きく広がった状態に移行させることができる。つまり、本発明の遊技情報表示装置は、遊技情報表示装置全体の幅や高さ等を必要に応じて大きくすることが可能となっている。
また、本発明の遊技情報表示装置は、情報を表示するための表示面に、広さの異なる複数の表示領域が設けられている。そして、装飾部の移動に応じて表示領域が切り替えられ、切り替え後の表示領域に合わせて各種情報が表示される構成となっている。つまり、遊技情報表示装置全体の幅や高さを可変させたとき、これに合わせて表示領域の広さが切り替わる構造となっている。このため、遊技情報表示装置の全体の大きさが変化する際に、変化の前後それぞれで可能な限り広い領域に各種情報を表示させることができる。
【００１１】
つまり、本発明の遊技情報表示装置によると、遊技情報表示装置の周囲に旗やプレートを取り付ける場合には、遊技情報表示装置を小さくまとまった状態とし、旗やプレート等のレイアウトの自由度を高くすることができる。そして、旗やプレート等を取り付けない場合には、遊技情報表示装置を外側に大きく広がった状態とすることにより、並列配置される遊技情報表示装置の間に不必要に大きな空間が形成されず、遊技機島の見栄えを良くすることができる。また、外側に大きく広げたときに表示領域を広くすることで、表示された各種情報を遊技者が見易い状態にすることができる。
【００１２】
請求項２に記載の発明は、前記装飾部は、遊技情報表示装置全体又は前記表示面を基準とした幅方向及び／又は高さ方向における外側へと移動するものであり、前記装飾部の外側への移動によって、正面視した際の周縁長さが長くなると共に前記表示面の外部に露出する部分の面積が増加することを特徴とする請求項１に記載の遊技情報表示装置である。
【００１３】
かかる構成によると、遊技機島の見栄えを良くしたり、表示された各種情報を遊技者が見易い状態とするといった本発明の効果をより顕著に発揮することができる。
【００１４】
本発明は、前記第２表示領域の一部と、前記第１表示領域が重複する位置にあることが好ましい（請求項３）。
【００１５】
請求項４に記載の発明は、前記装飾部は、複数の装飾部形成部材によって形成されるものであり、前記装飾部形成部材のそれぞれが異なる方向へ移動することによって表示領域が切り替えられることを特徴とする請求項１乃至３のいずれかに記載の遊技情報表示装置である。
【００１６】
かかる構成によると、遊技情報表示装置を外側に大きく広がった状態に移行するとき、複数の方向へ向かって広げることができる。そのため、遊技情報表示装置を簡単な構造で大きく広げることが可能となる。
【００１７】
請求項５に記載の発明は、遊技機が設置された遊技場に設けられ、前記遊技機に関する遊技情報を遊技者に対して表示可能な遊技情報表示装置であって、前記遊技情報を表示可能な表示部と、少なくとも一部が周縁部分に位置する装飾用の装飾部を備え、前記表示部は、各種情報を表示するための表示面を有し、前記表示面は、少なくとも第１表示領域と、当該第１表示領域よりも範囲の広い第２表示領域を含む複数の表示領域を有し、それぞれの表示領域に合わせて各種情報を表示可能なものであり、前記装飾部は、着脱交換可能な状態に取り付けられており、前記装飾部の交換によって周縁部分の位置が可変するものであり、前記装飾部の交換に応じて表示領域が切り替えられ、切り替え後の表示領域に合わせて各種情報が表示されることを特徴とする遊技情報表示装置である。
【００１８】
本発明の遊技情報表示装置は、装飾部を交換することにより、周縁部分の位置が可変するものとなっている。すなわち、本発明の遊技情報表示装置は、装飾部を交換することで、遊技情報表示装置の幅や高さが外側に大きく広がった状態に移行させることができる。そして、上記した場合と同様に、遊技情報表示装置全体の幅や高さを可変させたとき、これに合わせて表示領域の広さが切り替わる構造となっている。
つまり、本発明の遊技情報表示装置もまた、上記した場合と同様に、遊技情報表示装置全体の幅や高さ等を必要に応じて大きくすることが可能となっている。そして、遊技情報表示装置の全体の大きさが変化する際、変化の前後それぞれで可能な限り広い領域に各種情報を表示させることができる。
【００１９】
この場合、前記装飾部を交換することにより、正面視した際の周縁長さ及び前記表示面の外部に露出する部分の面積が変化することがさらに好ましい（請求項６）。
【発明の効果】
【００２０】
本発明によると、遊技情報表示装置の周囲に旗やプレートを取り付ける場合には、遊技情報表示装置を小さくまとまった状態とし、旗やプレート等のレイアウトの自由度を高くすることができる。
また、遊技情報表示装置の周囲に旗やプレート等を取り付けない場合には、遊技情報表示装置を外側に大きく広がった状態とすることにより、遊技情報表示装置の間に不自然に大きな空間が形成されず、遊技機島の見栄えを良くすることができる。
【図面の簡単な説明】
【００２１】
【図１】本発明の実施形態に係るデータランプを取り付けた遊技機島を示す斜視図である。
【図２】図１のデータランプを示す斜視図である。
【図３】図１のデータランプを示す分解斜視図である。
【図４】図３の外枠形成部を示す斜視図である。
【図５】図２の本体部を示す斜視図である。
【図６】図２の本体部を示す正面図であり、（ａ）は第１表示領域をハッチングで示し、（ｂ）は第２表示領域をハッチングで示す。
【図７】図１のデータランプが縮小時姿勢から拡大時姿勢に移行する様子を示す説明図であり、（ａ）は縮小時姿勢を示し、（ｂ）は拡大時姿勢を示すものであって、ハッチングはそれぞれの姿勢で遊技情報を表示する領域を示す。
【図８】図１とは異なる実施形態のデータランプを示す分解斜視図である。
【図９】図８のデータランプを示す正面図であり、（ａ）は第１外枠部を取付けた状態を示し、（ｂ）は第２外枠部を取付けた状態を示す。
【発明を実施するための形態】
【００２２】
以下に、本発明の実施形態に係るデータランプ１（遊技情報表示装置）について詳細に説明するが、本発明はこれらの例に限定されるものではない。また、以下の説明において、上下左右の位置関係については特に断りのない限り通常の設置状態を基準として説明する。
【００２３】
本実施形態のデータランプ１は、図１で示されるように、遊技機島２に取り付けた状態で使用可能なものである。
【００２４】
遊技機島２は、支柱や梁といった骨格部材（図示せず）に対し、天板６、妻板７、幕板８、ランプ板９、台間板１０、膳板１１、腰板１２、幅木１３等の外壁面を形成する板状部材を組み付けて形成されている。この遊技機島２の全体の外形は、略直方体状となっている。
【００２５】
そして、遊技機島２の長寸の側面では、遊技機１６と、遊技機１６の上方に位置するデータランプ１と、遊技機１６の側方に位置する遊技媒体貸出機１７が１つの遊技機群を形成しており、この遊技機群が遊技機島２の長手方向に沿って並列するように配置されている。
【００２６】
具体的に説明すると、遊技機島２の長寸の側面では、その上端部分に幕板８が位置しており、幕板８の下側にランプ板９が位置している。すなわち、ランプ板９は、長寸の側面の上端からやや下方側に離れた部分を覆う略長方形平板状の部材となっている。言い換えると、ランプ板９は、遊技機島２の長側壁のうち、幕板８の下方に位置する部分を形成する部材となっている。
【００２７】
そして、ランプ板９には、複数のデータランプ１が取り付けられた状態となっている。より詳細には、複数のデータランプ１が遊技機島２（ランプ板９）の長手方向に沿ってそれぞれ所定の間隔を空けて並列した状態となっている。
【００２８】
さらに、遊技機島２の長寸の側面では、ランプ板９の下方に、遊技機１６や遊技媒体貸出機１７を配するための遊技機取付部１８が設けられている。この遊技機取付部１８は、遊技機島２の高さ方向において略中央となる位置に形成される空間であり、遊技機島２の内外を連通している。そして、この遊技機取付部１８には、遊技機１６と遊技媒体貸出機１７からなる組を並列配置している。つまり、遊技機１６と、これに対として設けられる遊技媒体貸出機１７を１組の機器群とすると、この機器群が遊技機島２の長手方向で並列するように取付けられている。
【００２９】
これらのことから、遊技機島２の長寸の側面では、複数のデータランプ１と、複数の機器群（遊技機１６と遊技媒体貸出機１７からなる機器群）とが、それぞれ高さ方向の異なる位置で、遊技機島２の長手方向に沿うように並列した状態となっている。
【００３０】
そして、それぞれのデータランプ１の下方に、それぞれ別の遊技機１６が配置された状態となっている。言い換えると、データランプ１と遊技機１６とが、遊技機島２の高さ方向で並んだ状態となっている。
【００３１】
ここで、それぞれのデータランプ１は、遊技機島２の高さ方向で並列する遊技機１６と対になっており、対となる遊技機１６の稼働状況に係る情報（遊技情報）を遊技者に表示することが可能となっている。本実施形態のデータランプ１につき、以下で詳細に説明する。
【００３２】
データランプ１は、図２で示されるように、本体部２２と外枠形成部２３（装飾部）を備えた構造となっている。
【００３３】
本体部２２は、図３で示されるように、前方が開放された箱状部２８と、この箱状部２８の開放部分を覆うカバー部２９によって形成される筐体内に、表示用基板３０、中板３１、制御用基板３２が収容された構造となっている。
【００３４】
カバー部２９には、箱状部２８と筐体を形成したとき、内蔵されたデバイスを外部に露出させるための表示窓形成部３５とボタン用開口部３６が設けられている。表示窓形成部３５とボタン用開口部３６は、いずれもカバー部２９を前後方向に貫通する貫通孔となっている。
【００３５】
表示窓形成部３５は、カバー部２９の前面のうち、下方側の一部を除く略全域に亘って形成される開口部分である。
【００３６】
ボタン用開口部３６は、表示窓形成部３５よりも開口面積の小さい開口部分であり、表示窓形成部３５の下方に複数設けられている。そして、表示窓形成部３５の幅方向に沿って所定の間隔を空けて並列している。
【００３７】
表示用基板３０には、液晶表示装置４０（表示部）と操作ボタン４１とが実装されている。
【００３８】
液晶表示装置４０は、フルカラー表示が可能なドットマトリクスＬＣＤパネルであり、文字、数字、記号、図形、グラフ、表、絵柄又はその他の符号（以下、単に文字等とも称す）を適宜な位置に多種の表示色で表示することが可能となっている。
【００３９】
操作ボタン４１は、可動部分が押圧操作されることで、制御信号を出力する構成となっている。
【００４０】
中板３１は、箱状部２８とカバー部２９によって形成される筐体の内部空間を前後方向で分断するように設けられる板状の部材である。この中板３１には、前面から背面までを貫通するケーブル挿通孔４４が設けられている。
ケーブル挿通孔４４は、表示用基板３０と制御用基板３２を接続するケーブル（図示しない）を挿通するための孔となっている。すなわち、表示用基板３０と制御用基板３２は、互いに信号の送受信が可能なように接続された状態で使用されるものである。
【００４１】
制御用基板３２は、主演算部として機能するマイコン（ＭＰＵ）と、記憶部として機能するＲＡＭ及び不揮発性のＥＥＰＲＯＭ、外部の機器とデータの送受信を行うための通信部として機能するＩ／Ｏポートを備えた構成となっている。
さらに、制御用基板３２は、初期設定の入力を行うディップスイッチ、時刻に関する情報を信号として出力可能なリアルタイムクロック、電源から入力される交流電源を直流の動作電源に変換する電源ユニット、マイコンに動作クロックを供給する動作クロック発生回路といった、データランプ１の各種動作を実行、制御するための電子機器を備えている。
【００４２】
この制御用基板３２は、ホールコンピュータ（図示せず）から送信される各種設定情報や、表示動作を含む各種動作の制御を行うためのプログラムがＥＥＰＲＯＭに記憶されている。そして、表示用基板３０、遊技機１６、ホールコンピュータ（図示せず）といった外部の機器と信号の送受信が可能となっている。
なお、ホールコンピュータ（図示せず）とは、遊技場に設置され、主に遊技場内に設置された各種機器を統括して管理するために使用されるコンピュータである。
【００４３】
外枠形成部２３は、本体部２２の外縁部分に取り付けられる部材である。本実施形態のデータランプ１は、図２で示すように、本体部２２に対して２つの外枠形成部２３が取り付けられている。すなわち、一方の外枠形成部２３が、本体部２２の周縁部分のうちで幅方向片側よりの部分に取り付けられ、もう一方の外枠形成部２３が、幅方向他方側よりの部分に取り付けられている。そして、２つの外枠形成部２３は、いずれも本体部２２の周縁部分のうち、略半周を覆うように取付けられている。
これら２つの外枠形成部２３は、左右対称に対をなす部材であるので、片側の外枠形成部２３について詳細に説明し、他方側の外枠形成部２３については詳細な説明を省略する。
【００４４】
外枠形成部２３は、図４で示されるように、上下方向に沿って延びる柱状の縦枠部４７と、縦枠部４７の側面から外側へ突出する略直方体状の上側横枠部４８、下側横枠部４９を備えた構成となっている。そして、上側横枠部４８と下側横枠部４９は、外枠形成部２３の上下方向で互いに離間対向した状態となっている。
【００４５】
縦枠部４７は、外形が略円柱状の部分であり、その内部に空間が形成されている。そして、縦枠部４７の側面には、外部と内部空間を連通するための開口部５３が設けられている。
【００４６】
開口部５３の上端部分は、上側横枠部４８の下端近傍に位置しており、開口部５３の下端部分は、下側横枠部４９の上端近傍に位置している。すなわち、上側横枠部４８と下側横枠部４９の間に開口部５３が位置している。
【００４７】
さらに、上側横枠部４８と下側横枠部４９の間には、開口部５３の周縁部分に沿って上下方向に延びる立壁部５４が設けられている。この立壁部５４は、外形が直立姿勢をとる略長方形平板状の部分であり、縦枠部４７から外側へ向かって突出している。この立壁部５４は、開口部５３の幅方向における両端部分それぞれの近傍に一つずつ設けられている。つまり、２つの立壁部５４は、この開口部５３の幅方向で互いに離間対向した状態となっている。
【００４８】
つまり、開口部５３の周縁部分に沿って上側横枠部４８、立壁部５４、下側横枠部４９、立壁部５４が配設されており、これらが環状に連続している。そして、上側横枠部４８と、下側横枠部４９と、２つの立壁部５４によって囲まれた部分に縦枠部４７の開口部５３が位置している。つまり、上側横枠部４８と、下側横枠部４９と、２つの立壁部５４によって囲まれた空間と、縦枠部４７の内部空間が一体の空間（以下、枠内空間５５とも称す）を形成している。
【００４９】
ここで、上側横枠部４８の下面と下側横枠部４９の上面には、それぞれ、突起５８が設けられている（上側横枠部４８に設けられたものについては、図示を省略する）。突起５８は、それぞれ外側に向かって突出しており、より詳細には、上側横枠部４８では下面から下方へ突出しており（図示しない）、下側横枠部４９では上面から上方へ突出している。
【００５０】
続いて、データランプ１の組み立て構造について説明する。
【００５１】
本実施形態のデータランプ１では、上記したように、箱状部２８とカバー部２９によって形成される筐体内に表示用基板３０、中板３１、制御用基板３２を収容して本体部２２を形成すると共に、この本体部２２に２つの外枠形成部２３を取り付けた状態としている（図２、図３参照）。
【００５２】
ここで、本体部２２では、図５で示されるように、箱状部２８とカバー部２９によって形成される筐体の上面と下面に、それぞれ係合溝５９が形成されている（下面の係合溝５９については図示せず）。この係合溝５９は、本体部２２の幅方向に沿って延びる横長の溝となっている。
【００５３】
より具体的に説明すると、係合溝５９は、筐体の上面と下面のそれぞれに２つずつ設けられており、上面と下面のいずれでも筐体の幅方向に間隔を空けて並列した状態となっている。すなわち、係合溝５９の一方は、上面（又は下面）のうちで筐体の幅方向における片側端部よりの位置に設けられ、他方は他方側端部よりの位置に設けられている。
【００５４】
そして、データランプ１を組み立てるとき、本体部２２の係合溝５９と、外枠形成部２３の突起５８を係合させた状態とする。すなわち、係合溝５９に対し、突起５８が挿通された状態とする。
【００５５】
ここで、図２で示されるように、２つの外枠形成部２３のうちの一方は、本体部２２のうち、幅方向の片側端部よりの位置に取り付けられた状態となっている。対して、もう一方の外枠形成部２３は、本体部２２のうち、幅方向の他方側端部よりの位置に取り付けられた状態となっている。
【００５６】
このとき、２つの外枠形成部２３のうちの一方は、上側横枠部４８に形成された突起５８（図示せず）が、本体部２２の上面のうちで幅方向の片側端部よりの位置にある係合溝５９と係合した状態となっている。そして、下側横枠部４９に形成された突起５８（図４参照）が、本体部２２の下面のうちで幅方向の片側端部よりの位置にある係合溝５９と係合した状態となっている。
【００５７】
つまり、片方の外枠形成部２３に形成された２つの突起５８は、本体部２２のうち、上面と下面のそれぞれで幅方向の片側端部よりの位置にある係合溝５９と係合している。
同様に、他方の外枠形成部２３に形成された２つの突起５８は、本体部２２のうち、上面と下面のそれぞれで幅方向の他方側端部よりの位置にある係合溝５９と係合している。
そして、係合溝５９と係合した突起５８は、いずれも係合溝５９の長手方向、すなわち、本体部２２の幅方向に沿って移動可能な状態となっている。
【００５８】
このため、外枠形成部２３は、本体部２２の幅方向に沿ってスライド移動することができる。つまり、２つの外枠形成部２３は、それぞれ別途外側へ向かって移動可能となっている。詳細には、一方の外枠形成部２３が本体部２２の幅方向の一方側へ向かって移動可能であると共に、他方の外枠形成部２３が本体部２２の幅方向の他方側へ向かって移動可能となっている。すなわち、２つの外枠形成部２３は、互いに離れる方向への移動が可能な状態で取り付けられている。
【００５９】
ここで、本実施形態のデータランプ１は、液晶表示装置４０の表示領域を切替え可能となっている。より具体的には、図６で示されるように、比較的面積の小さい第１表示領域６２（図６（ａ）のハッチングで示される部分）と、比較的面積の大きい第２表示領域６３（図６（ｂ）のハッチングで示される部分）とを切替え可能となっている。
【００６０】
第１表示領域６２は、液晶表示装置４０の表示面のうち、幅方向の中心よりに位置する領域である。すなわち、液晶表示装置４０の表示面のうち、幅方向の両端部側にそれぞれ位置する帯状の領域を除いた残りの領域が第１表示領域６２となる。言い換えると、液晶表示装置４０の表示面のうち、幅方向の片側端部から所定距離Ｌだけ中心よりの位置から、幅方向の他方側端部から所定距離Ｌだけ中心よりの位置までの間が第１表示領域６２となっている。
【００６１】
第２表示領域６３は、液晶表示装置４０の表示面のうち、表示可能領域の全域である。すなわち、液晶表示装置４０の表示面のうち、幅方向の片側端部から他方側端部までの間が第２表示領域６３となっている。
【００６２】
このことから、第１表示領域６２は、その全てが第２表示領域６３に含まれるものであり、言い換えると、第１表示領域６２は、第２表示領域６３の一部と重複する位置にある。
また、第２表示領域６３は、第１表示領域６２を幅方向外側に拡張した領域であるともいえる。
【００６３】
そして、本実施形態のデータランプ１は、外枠形成部２３のスライド移動に伴って、液晶表示装置４０の表示領域が切り替わる構造となっている。
【００６４】
具体的に説明すると、本実施形態のデータランプ１では、外枠形成部２３のスライド移動に伴って、外枠形成部２３の突起５８（図４参照）が本体部２２の内部に収容されたスイッチ（図示せず）と適宜接触し、外枠形成部２３の位置を制御用基板３２が判別可能となっている。すなわち、外枠形成部２３の突起５８が所定位置に移動すると、スイッチ（図示せず）がオフ状態からオン状態へと移行し、それに伴ってスイッチ（図示せず）から制御用基板３２へと信号が発信される。そして、制御用基板３２は、受信した信号に基いて外枠形成部２３の位置を解析する。
【００６５】
そして、制御用基板３２は、解析した外枠形成部２３の位置に応じて液晶表示装置４０の表示領域を切替える。
すなわち、２つの外枠形成部２３の双方が本体部２２の幅方向の中心よりの位置に配された縮小時姿勢（図７（ａ）参照）では、第１表示領域６２に遊技情報を表示している。
また、２つの外枠形成部２３の双方が本体部２２の幅方向の外側よりの位置に配された拡大時姿勢（図７（ｂ）参照）では、第２表示領域６３に遊技情報を表示している。
【００６６】
さらに詳細には、図７（ａ）で示されるように、データランプ１が縮小時姿勢であるとき、外枠形成部２３は、いずれも本体部２２の幅方向の内側よりの位置に配された状態となっている。
【００６７】
このとき、片側の外枠形成部２３の一部である上側横枠部４８の突出端と、他方の外枠形成部２３の一部である上側横枠部４８の突出端とが、本体部２２の幅方向における中心よりの位置で接触（又は僅かに隙間を空けて近接）した状態となっている。同様に、片側の下側横枠部４９と他方の下側横枠部４９もまた、突出端同士が本体部２２の幅方向における中心よりの位置で接触（又は僅かに隙間を空けて近接）した状態となっている。
【００６８】
このため、本体部２２の周縁外側に外枠形成部２３が位置し、環状に連続する２つの外枠形成部２３によって本体部２２が囲繞された状態となっている。すなわち、外枠形成部２３のうちの一方は、本体部２２の周縁部分のうち、幅方向の片側端部よりの半周部分を覆った状態となっている。そして、外枠形成部２３のうちの他方は、残りの半周部分を覆った状態となっている。
言い換えると、本体部２２の上端部の外側に隣接する位置に上側横枠部４８が、左右端部（幅方向両端部）それぞれの外側に隣接する位置に縦枠部４７が、下端部の外側に隣接する位置に下側横枠部４９がそれぞれ位置した状態となっている。したがって、外枠形成部２３の外縁部分がデータランプ１の外縁部分を形成した状態となっている。
【００６９】
このとき、本体部２２は、幅方向の端部よりの部分が枠内空間５５（図４参照）に収納された状態となっている。すなわち、本体部２２のうち、幅方向両端側にそれぞれ位置する領域であって、端部から所定距離Ｌ２だけ内側となるまでの部分（図６参照）が枠内空間５５に収納されている。
また、液晶表示装置４０の幅方向の端部よりの部分の前方には、立壁部５４が位置している。すなわち、液晶表示装置４０のうち、幅方向両端側にそれぞれ位置する領域であって、端部から所定距離Ｌだけ内側となるまでの部分（図６参照）の前方に立壁部５４が位置している。このため、液晶表示装置４０は、第１表示領域６２のみが外部に露出し、残りの部分が外部に露出していない状態となっている。
【００７０】
つまり、縮小時姿勢では、外枠形成部２３の一部が液晶表示装置４０の表示面の一部を覆っており、液晶表示装置４０の表示面の一部が外部に露出しない状態となっているといえる。
【００７１】
そして、２つの外枠形成部２３を幅方向の外側へ向かって、それぞれ互いに離反する方向に移動させると、データランプ１が縮小時姿勢から拡大時姿勢へと移行する。このとき、片側の外枠形成部２３の一部である上側横枠部４８の突出端と、他方の外枠形成部２３の一部である上側横枠部４８の突出端の間に大きな隙間が形成されることとなる。同様に、片側の下側横枠部４９と他方の下側横枠部４９の間にもまた、大きな隙間が形成されることとなる。
そして、拡大時姿勢に移行することで、遊技情報を第１表示領域６２に合わせたレイアウトで表示させている状態から、第２表示領域６３に合わせたレイアウトで表示させている状態に切り替わる。
【００７２】
データランプ１が拡大時姿勢のとき、データランプ１は幅方向に広がった状態となっている。このため、データランプ１を正面視した際の周縁長さ（図７の太線）が長くなり、正面視した際の面積もまた大きくなる。
【００７３】
そして、本体部２２の枠内空間５５（図４参照）に収納されていた部分のうち、全ての部分（又は略全ての部分）が枠内空間５５の外部に位置した状態となる。つまり、本体部２２のうちで外部に露出している部分の総面積がより大きくなる。
【００７４】
さらに、外枠形成部２３のうち、液晶表示装置４０の表示面の一部を覆っていた部分が外側へと移動することにより、液晶表示装置４０の表示面の全面が外部に露出した状態となる。
【００７５】
このように、本実施形態のデータランプ１は、縮小時姿勢をとることにより、データランプ１の周囲に広い空間を確保することができる。このことにより、データランプ１の周囲に旗やプレート等を配置する際、この旗やプレート等のレイアウトの自由度を高くすることができる。
これに対して、データランプ１の周囲に装飾物を配置しない場合には、拡大次姿勢をとることにより、データランプ１の周囲に不自然に広い空間を形成しないようにすることが可能となる。つまり、データランプ１を並列配置した際（図１参照）、データランプ１の間に不自然に大きな空間が形成されず、遊技機島２の見栄えを良くすることができる。
【００７６】
上記した実施形態では、本体部２２を装飾するための装飾部として機能する外枠形成部２３を、本体部２２の幅方向外側に向かって移動させる例を示したが、本発明はこれに限るものではない。
装飾部は、本体部２２の幅方向（遊技機島２の長手方向）に限らず、本体部２２の高さ方向（遊技機島２の高さ方向）の外側に向かって移動させてもよい。さらに、本体部２２の幅方向成分と本体部２２の高さ方向成分を含む斜め方向の外側に向かって移動させてもよい。
【００７７】
上記した実施形態では、装飾部（外枠形成部２３）を２つ設けた例を示したが、本発明はこれに限るものではない。
装飾部は、１つでもよく３つ以上であってもよい。すなわち、本発明のデータランプは１又は複数の装飾部を備える構成であればよい。また、複数の装飾部を全て異なる方向に移動させる必要はなく、２以上の装飾部が同方向に移動する構成であってもよい。
【００７８】
上記した実施形態では、縮小時姿勢から拡大時姿勢への移行に伴い、装飾部（外枠形成部２３）が液晶表示装置４０の表示面の一部を覆った状態から、表示面の全域が外部に露出した状態に移行する構成とした。すなわち、装飾部が表示面の一部を覆った状態から、表示面の一部を覆わない状態に移行する例を示した。しかしながら、本発明はこれに限るものではない。
つまり、拡大時姿勢のときに装飾部が表示面の一部を覆ってもよく、例えば、縮小時姿勢では装飾部が表示面の広範囲を覆い、拡大時姿勢では装飾部が表示面の狭い範囲を覆う構成であってもよい。すなわち、装飾部が表示面の一部を常時覆う構成であって、縮小時姿勢から拡大時姿勢への移行に伴い、表示面のうちで装飾部が前方を覆っている部分の面積が小さくなればよい。
【００７９】
上記した実施形態では、本体部２２に取り付けた外枠形成部２３を外側へ移動可能とする例を示したが、本発明はこれに限るものではない。
例えば、外枠を形成する部材を複数設け、いずれかを本体部１２２に対して固定する構成であってもよい。このような構成のデータランプ１０１につき、以下で詳細に説明する。また、上記した実施形態と同じものについては、同じ符号を付して説明を省略する。
【００８０】
データランプ１０１（遊技情報表示装置）は、図８で示されるように、本体部１２２と、第１外枠部１２３（装飾部）、第２外枠部１２４（装飾部）を備えた構造となっている。
そして、本体部１２２に第１外枠部１２３と第２外枠部１２４のいずれかを選択して取り付けた状態で使用する。そして、第１外枠部１２３と第２外枠部１２４とを必要に応じて適宜交換可能な構成となっている。
【００８１】
本体部１２２は、上記した実施形態と同様に、筐体の内部に表示用基板３０、制御用基板３２等を収容して形成されている。
この本体部１２２の前面には、第１外枠部１２３又は第２外枠部１２４を取り付けるための枠固定用孔１２５が設けられている。また、装着された枠体の種別を判別するための第１枠体判別用孔１２７、第２枠体判別用孔１２８が設けられている。
【００８２】
枠固定用孔１２５は、液晶表示装置４０の周囲に設けられる貫通孔であり、本体部１２２の筐体を貫通している。
このデータランプ１０１では、第１外枠部１２３又は第２外枠部１２４を取り付けるとき、これらの背面に形成される係合突起（図示せず）と、本体部１２２の枠固定用孔１２５を係合させた状態とする。このことにより、本体部１２２に第１外枠部１２３又は第２外枠部１２４を一体に固定する。
【００８３】
また、本体部１２２に第１外枠部１２３を固定したとき、第１外枠部１２３の背面に形成される突起（図示せず）が第１枠体判別用孔１２７に挿通された状態となり、第２枠体判別用孔１２８には何も挿通されていない状態となる。そして、突起によって第１枠体判別用孔１２７の奥側に位置するスイッチ（図示せず）が押圧され、このスイッチから制御用基板３２へと信号が発信される。このことにより、制御用基板３２は、第１外枠部１２３が装着されていることを判別可能となる。
【００８４】
対して、本体部１２２に第２外枠部１２４を固定したとき、第２外枠部１２４の背面に形成される突起（図示せず）が第２枠体判別用孔１２８に挿通された状態となり、第１枠体判別用孔１２７には何も挿通されていない状態となる。そして、突起によって第２枠体判別用孔１２８の奥側に位置するスイッチ（図示せず）が押圧され、このスイッチから制御用基板３２へと信号が発信される。このことにより、制御用基板３２は、第２外枠部１２４が装着されていることを判別可能となる。
【００８５】
第１外枠部１２３は、正面視した形状が上下逆の略「凹」字状となる部材である。この第１外枠部１２３は、正面視した形状が左右対称となっている。
第１外枠部１２３の幅方向の中心近傍には、第１表示窓１３３が設けられている。この第１表示窓１３３は、下端部分から所定幅で上方へ向かって延びる切欠き状の部分であって、正面視した形状が略長方形状となっている。
【００８６】
第２外枠部１２４は、第１外枠部１２３と同じく、正面視した形状が上下逆の略「凹」字状となる部材であり、正面視した形状が左右対称となっている。この第２外枠部１２４は、その幅と高さのいずれもが第１外枠部１２３よりも大きくなっている点で、第１外枠部１２３と異なっている。
第２外枠部１２４にもまた、幅方向の中心近傍に第２表示窓１３４が設けられている。そして、この第２表示窓１３４もまた、下端部分から所定幅で上方へ向かって延びる切欠き状の部分であって、正面視した形状が略長方形状となっている。しかし、この第２表示窓１３４の幅は、第１表示窓１３３よりも大きくなっている。
【００８７】
本実施形態のデータランプ１０１は、本体部１２２に第１外枠部１２３を装着した状態から、第１外枠部１２３を取り外し、第２外枠部１２４を装着した状態とすることで、縮小時姿勢から拡大時姿勢への移行が可能となっている。また、上記した実施形態と同様に、拡大時姿勢への移行に伴って液晶表示装置４０の表示領域が切り替わる構造となっている。すなわち、遊技情報を第１表示領域６２に合わせたレイアウトで表示させている状態（図９（ａ）参照）から、第２表示領域６３に合わせたレイアウトで表示させている状態（図９（ｂ）参照）に切り替わる
【００８８】
より具体的には、拡大時姿勢に移行すると、第１外枠部１２３が液晶表示装置４０の表示面の一部を覆った状態から、表示面の全域が外部に露出した状態に移行する。すなわち、第２外枠部１２４の第２表示窓１３４の内側に位置する表示面の全域が外部に露出した状態となる。
【００８９】
また、データランプ１０１が拡大時姿勢のとき、データランプ１０１を正面視した際の周縁長さ（図９の太線）が長くなり、正面視した際の面積もまた大きくなる。そして、本体部２２のうちで外部に露出している部分の総面積もより大きくなる。
【００９０】
上記した各実施形態では説明を省略したが、各実施形態のデータランプ１，１０１に対し、遊技客が遊技場従業員を呼び出す際に押下する呼出ボタンを設けてもよい。また、装飾部の内部にＬＥＤや電球等の発光源を設け、各種動作条件が満たされたとき、装飾部が点灯、点滅動作を実行する構成としてもよい。このとき、中空とした装飾部の内側面に多数の凸凹を設け、発光源から発せられた光を乱反射させることで、発光源が発光したときに目視すると、輝いてみえるようにしてもよい。
【符号の説明】
【００９１】
１，１０１    データランプ（遊技情報表示装置）
１６    遊技機
２３    外枠形成部(装飾部)
４０    液晶表示装置（表示部）
６２    第１表示領域
６３    第２表示領域
１２３    第１枠体部(装飾部)
１２４    第２枠体部(装飾部)
【図１】
2016077779.tif 000003
【図２】
2016077779.tif 000004
【図３】
2016077779.tif 000005
【図４】
2016077779.tif 000006
【図５】
2016077779.tif 000007
【図６】
2016077779.tif 000008
【図７】
2016077779.tif 000009
【図８】
2016077779.tif 000010
【図９】
2016077779.tif 000011